(57)【特許請求の範囲】
【請求項１】
少なくとも光学式記録媒体の記録トラックの接線方向に関して２分割された受光領域が検出した信号から前記光学式記録媒体のプリピットを検出するためのプリピット信号を生成するプリピット信号生成回路であって、
前記接線方向の上面側の受光領域が受光したラジアル上半面信号から、前記接線方向の下面側の受光領域が受光したラジアル下半面信号を減算し、ラジアルプッシュプル信号を生成するプッシュプル信号生成回路と、
前記ラジアルプッシュプル信号を入力する第１の半波整流器、該第１の半波整流器の出力を一方の入力端子、前記ラジアル上半面信号を他方の入力端子に入力する乗算器、該乗算器の出力側に接続された第２の半波整流器、該第２の半波整流器の出力側に接続され補正信号を出力する反転増幅器を有し、前記記録トラック上の記録マークの位置の前記ラジアルプッシュプル信号の補正信号を生成する補正信号生成回路と、
前記ラジアルプッシュプル信号と前記補正信号を加算する補正信号加算器
とを備えることを特徴とするプリピット信号生成回路。
【請求項２】
少なくとも光学式記録媒体の記録トラックの接線方向に関して２分割された受光領域が検出した信号から前記光学式記録媒体のプリピットを検出するためのプリピット信号を生成するプリピット信号生成回路であって、
前記接線方向の上面側の受光領域が受光したラジアル上半面信号から、前記接線方向の下面側の受光領域が受光したラジアル下半面信号を減算し、ラジアルプッシュプル信号を生成するプッシュプル信号生成回路と、
前記ラジアル上半面信号を入力する第１の半波整流器、該第１の半波整流器の出力を一方の入力端子、前記ラジアルプッシュプル信号を他方の入力端子に入力する乗算器、該乗算器の出力側に接続された第２の半波整流器、該第２の半波整流器の出力側に接続され補正信号を出力する反転増幅器を有し、前記記録トラック上の記録マークの位置の前記ラジアルプッシュプル信号の補正信号を生成する補正信号生成回路と、
前記ラジアルプッシュプル信号と前記補正信号を加算する補正信号加算器
とを備えることを特徴とするプリピット信号生成回路。
【請求項３】
少なくとも光学式記録媒体の記録トラックの接線方向に関して２分割された受光領域が検出した信号から前記光学式記録媒体のプリピットを検出するためのプリピット信号を生成するプリピット信号生成回路であって、
前記接線方向の上面側の受光領域が受光したラジアル上半面信号から、前記接線方向の下面側の受光領域が受光したラジアル下半面信号を減算し、ラジアルプッシュプル信号を生成するプッシュプル信号生成回路と、
前記ラジアル上半面信号を一方の入力端子、前記ラジアル下半面信号を他方の入力端子に入力する全信号加算器、前記ラジアルプッシュプル信号を入力する第１の半波整流器、該第１の半波整流器の出力を一方の入力端子、前記全信号加算器の出力を他方の入力端子に入力する乗算器、該乗算器の出力側に接続された第２の半波整流器、該第２の半波整流器の出力側に接続され補正信号を出力する反転増幅器を有し、前記記録トラック上の記録マークの位置の前記ラジアルプッシュプル信号の補正信号を生成する補正信号生成回路と、
前記ラジアルプッシュプル信号と前記補正信号を加算する補正信号加算器
とを備えることを特徴とするプリピット信号生成回路。
【請求項４】
少なくとも光学式記録媒体の記録トラックの接線方向に関して２分割された受光領域が検出した信号から前記光学式記録媒体のプリピットを検出するためのプリピット信号を生成するプリピット信号生成回路であって、
前記接線方向の上面側の受光領域が受光したラジアル上半面信号から、前記接線方向の下面側の受光領域が受光したラジアル下半面信号を減算し、ラジアルプッシュプル信号を生成するプッシュプル信号生成回路と、
前記補正信号生成回路は、前記ラジアル上半面信号を一方の入力端子、前記ラジアル下半面信号を他方の入力端子に入力する全信号加算器、該全信号加算器の出力を入力する第１の半波整流器、該第１の半波整流器の出力を一方の入力端子、前記ラジアルプッシュプル信号を他方の入力端子に入力する乗算器、該乗算器の出力側に接続された第２の半波整流器、該第２の半波整流器の出力側に接続され補正信号を出力する反転増幅器を有し、前記記録トラック上の記録マークの位置の前記ラジアルプッシュプル信号の補正信号を生成する補正信号生成回路と、
前記ラジアルプッシュプル信号と前記補正信号を加算する補正信号加算器
とを備えることを特徴とするプリピット信号生成回路。
【請求項５】
前記ラジアル上半面信号は、前記上面側の受光領域を前記記録トラックの垂直方向に関して更に２分割した受光領域が検出した２つの信号をもとに生成されることを特徴とする請求項１１〜４のいずれか１項に記載のプリピット信号生成回路。
【請求項６】
前記ラジアル下半面信号は、前記下面側の受光領域を前記記録トラックの垂直方向に関して更に２分割した受光領域が検出した２つの信号をもとに生成されることを特徴とする請求項１〜５のいずれか１項に記載のプリピット信号生成回路。
【請求項７】
前記プッシュプル信号生成回路は、前記上面側の２つの受光領域が受光した２つの信号を入力する上半面信号加算器と、
前記下面側の２つの受光領域が受光した２つの信号を加算する下半面信号加算器と、
前記上半面信号加算器の出力を正転入力端子に接続し、前記下半面信号加算器の出力を反転入力端子に接続した減算器とを備えることを特徴とする請求項１〜６のいずれか１項に記載のプリピット信号生成回路。
【請求項８】
半導体チップと、
該半導体チップの上に集積化され、少なくとも光学式記録媒体の記録トラックの接線方向に関して２分割された受光領域の前記接線方向の上面側の受光領域が受光したラジアル上半面信号から、前記接線方向の下面側の受光領域が受光したラジアル下半面信号を減算し、ラジアルプッシュプル信号を生成し、該ラジアルプッシュプル信号を半波整流し、該半波整流されたラジアルプッシュプル信号と前記ラジアル上半面信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
前記半導体チップの上に集積化され、前記記録処理回路の出力側に接続されたサーボ制御装置と、
前記半導体チップの上に集積化され、読取再生信号を入力し再生情報データを出力する情報データ再生回路とを少なくとも備えることを特徴とする半導体集積回路。
【請求項９】
半導体チップと、
該半導体チップの上に集積化され、少なくとも光学式記録媒体の記録トラックの接線方向に関して２分割された受光領域の前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号を半波整流し、該半波整流された前記ラジアル上半面信号と前記ラジアルプッシュプル信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
前記半導体チップの上に集積化され、前記記録処理回路の出力側に接続されたサーボ制御装置と、
前記半導体チップの上に集積化され、読取再生信号を入力し再生情報データを出力する情報データ再生回路とを少なくとも備えることを特徴とする半導体集積回路。
【請求項１０】
半導体チップと、
該半導体チップの上に集積化され、少なくとも光学式記録媒体の記録トラックの接線方向に関して２分割された受光領域の前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号と前記ラジアル下半面信号を全信号加算し、該ラジアルプッシュプル信号を半波整流し、該半波整流されたラジアルプッシュプル信号と前記全信号加算された全信号加算信号を乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
前記半導体チップの上に集積化され、前記記録処理回路の出力側に接続されたサーボ制御装置と、
前記半導体チップの上に集積化され、読取再生信号を入力し再生情報データを出力する情報データ再生回路とを少なくとも備えることを特徴とする半導体集積回路。
【請求項１１】
半導体チップと、
該半導体チップの上に集積化され、少なくとも光学式記録媒体の記録トラックの接線方向に関して２分割された受光領域の前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号と前記ラジアル下半面信号を全信号加算し、該全信号加算した全信号加算信号を半波整流し、該半波整流された前記全信号加算信号と前記ラジアルプッシュプル信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
前記半導体チップの上に集積化され、前記記録処理回路の出力側に接続されたサーボ制御装置と、
前記半導体チップの上に集積化され、読取再生信号を入力し再生情報データを出力する情報データ再生回路とを少なくとも備えることを特徴とする半導体集積回路。
【請求項１２】
記録トラック上にあらかじめ記録されたプリピットを有する光学式記録媒体と、
前記光学式記録媒体に記録又は読取りのためのビーム光を照射するビーム光発生装置と、前記ビーム光の反射光を前記記録トラックの接線方向に関して、少なくとも２分割した受光領域により検出する検出する検出器とを有する記録再生ヘッドと、
前記接線方向の上面側の受光領域が受光したラジアル上半面信号から、前記接線方向の下面側の受光領域が受光したラジアル下半面信号を減算し、ラジアルプッシュプル信号を生成し、該ラジアルプッシュプル信号を半波整流し、該半波整流されたラジアルプッシュプル信号と前記ラジアル上半面信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
とを含むことを特徴とする記録再生装置。
【請求項１３】
記録トラック上にあらかじめ記録されたプリピットを有する光学式記録媒体と、
前記光学式記録媒体に記録又は読取りのためのビーム光を照射するビーム光発生装置と、前記ビーム光の反射光を前記記録トラックの接線方向に関して、少なくとも２分割した受光領域により検出する検出する検出器とを有する記録再生ヘッドと、
前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号を半波整流し、該半波整流された前記ラジアル上半面信号と前記ラジアルプッシュプル信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
とを含むことを特徴とする記録再生装置。
【請求項１４】
記録トラック上にあらかじめ記録されたプリピットを有する光学式記録媒体と、
前記光学式記録媒体に記録又は読取りのためのビーム光を照射するビーム光発生装置と、前記ビーム光の反射光を前記記録トラックの接線方向に関して、少なくとも２分割した受光領域により検出する検出する検出器とを有する記録再生ヘッドと、
前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号と前記ラジアル下半面信号を全信号加算し、該ラジアルプッシュプル信号を半波整流し、該半波整流されたラジアルプッシュプル信号と前記全信号加算された全信号加算信号を乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
とを含むことを特徴とする記録再生装置。
【請求項１５】
記録トラック上にあらかじめ記録されたプリピットを有する光学式記録媒体と、
前記光学式記録媒体に記録又は読取りのためのビーム光を照射するビーム光発生装置と、前記ビーム光の反射光を前記記録トラックの接線方向に関して、少なくとも２分割した受光領域により検出する検出する検出器とを有する記録再生ヘッドと、
前記接線方向の上面側の受光領域が受光したラジアル上半面信号から、前記接線方向の下面側の受光領域が受光したラジアル下半面信号を減算し、ラジアルプッシュプル信号を生成し、前記ラジアル上半面信号と前記ラジアル下半面信号を全信号加算し、該全信号加算した全信号加算信号を半波整流し、該半波整流された前記全信号加算信号と前記ラジアルプッシュプル信号とを乗算し、該乗算した結果を半波整流し、前記記録トラック上の記録マークの位置の前記ラジアルプッシュプル信号の補正信号を生成し、前記ラジアルプッシュプル信号と前記補正信号を加算してプリピット信号を生成するプリピット信号生成回路と、
前記半導体チップの上に集積化され、前記プリピット信号生成回路の出力側に接続された記録処理回路と、
とを含むことを特徴とする記録再生装置。
【請求項１６】
前記ラジアル上半面信号は、前記上面側の受光領域を前記記録トラックの垂直方向に関して更に２分割した受光領域が検出した２つの信号をもとに生成されることを特徴とする請求項１２〜１５のいずれか１項記載の記録再生装置。
【請求項１７】
前記ラジアル下半面信号は、前記下面側の受光領域を前記記録トラックの垂直方向に関して更に２分割した受光領域が検出した２つの信号をもとに生成されることを特徴とする請求項１２〜１５のいずれか１項記載の記録再生装置。
【請求項１８】
光学式記録媒体の記録トラックの接線方向関して２分割した受光領域により前記光学式記録媒体からの反射光を受光するステップと、
前記接線方向の上面側の受光領域が受光したラジアル上半面信号を生成するステップと、
前記接線方向の下面側の受光領域が受光した加算したラジアル下半面信号を生成するステップと、
前記ラジアル上半面信号から前記ラジアル下半面信号を減算しラジアルプッシュプル信号を生成するステップと、
該ラジアルプッシュプル信号を半波整流するステップと、
該半波整流されたラジアルプッシュプル信号と前記ラジアル上半面信号とを乗算するステップと、
該乗算した結果を半波整流し、前記記録トラック上の記録マークの位置の前記ラジアルプッシュプル信号の補正信号を生成するステップと、
前記ラジアルプッシュプル信号に前記補正信号を加算するステップとを備えることを特徴とするプリピット信号生成方法。
【請求項１９】
光学式記録媒体の記録トラックの接線方向関して２分割した受光領域により前記光学式記録媒体からの反射光を受光するステップと、
前記接線方向の上面側の受光領域が受光したラジアル上半面信号を生成するステップと、
前記接線方向の下面側の受光領域が受光した加算したラジアル下半面信号を生成するステップと、
前記ラジアル上半面信号から前記ラジアル下半面信号を減算しラジアルプッシュプル信号を生成するステップと、
前記ラジアル上半面信号を半波整流するステップと、
該半波整流された前記ラジアル上半面信号と前記ラジアルプッシュプル信号とを乗算するステップと、
該乗算した結果を半波整流し、前記記録トラック上の記録マークの位置の前記ラジアルプッシュプル信号の補正信号を生成するステップと、
前記ラジアルプッシュプル信号に前記補正信号を加算するステップとを備えることを特徴とするプリピット信号生成方法。
【請求項２０】
光学式記録媒体の記録トラックの接線方向関して２分割した受光領域により前記光学式記録媒体からの反射光を受光するステップと、
前記接線方向の上面側の受光領域が受光したラジアル上半面信号を生成するステップと、
前記接線方向の下面側の受光領域が受光した加算したラジアル下半面信号を生成するステップと、
前記ラジアル上半面信号から前記ラジアル下半面信号を減算しラジアルプッシュプル信号を生成するステップと、
前記ラジアル上半面信号と前記ラジアル下半面信号を全信号加算するステップと、
該ラジアルプッシュプル信号を半波整流するステップと、
該半波整流されたラジアルプッシュプル信号と前記全信号加算された全信号加算信号を乗算するステップと、
該乗算した結果を半波整流し、前記記録トラック上の記録マークの位置の前記ラジアルプッシュプル信号の補正信号を生成するステップと、
前記ラジアルプッシュプル信号に前記補正信号を加算するステップとを備えることを特徴とするプリピット信号生成方法。
【請求項２１】
光学式記録媒体の記録トラックの接線方向関して２分割した受光領域により前記光学式記録媒体からの反射光を受光するステップと、
前記接線方向の上面側の受光領域が受光したラジアル上半面信号を生成するステップと、
前記接線方向の下面側の受光領域が受光した加算したラジアル下半面信号を生成するステップと、
前記ラジアル上半面信号から前記ラジアル下半面信号を減算しラジアルプッシュプル信号を生成するステップと、
前記ラジアル上半面信号と前記ラジアル下半面信号を全信号加算するステップと、
該全信号加算した全信号加算信号を半波整流するステップと、
該半波整流された前記全信号加算信号と前記ラジアルプッシュプル信号とを乗算するステップと、
該乗算した結果を半波整流し、前記記録トラック上の記録マークの位置の前記ラジアルプッシュプル信号の補正信号を生成するステップと、
前記ラジアルプッシュプル信号に前記補正信号を加算するステップとを備えることを特徴とするプリピット信号生成方法。
【請求項２２】
前記ラジアル上半面信号をもとに前記補正信号を生成するステップは、更に前記上面側の受光領域を前記記録トラックの垂直方向に関して更に２分割した受光領域が検出した２つの信号をもとに生成することを特徴とする請求項１８〜２１のいずれか１項記載のプリピット信号生成方法。
【請求項２３】
前記ラジアル下半面信号をもとに前記補正信号を生成するステップは、更に前記下面側の受光領域を前記記録トラックの垂直方向に関して更に２分割した受光領域が検出した２つの信号をもとに生成することを特徴とする請求項１８〜２２のいずれか１項記載のプリピット信号生成方法。
【発明の詳細な説明】
【０００１】
【発明が属する技術分野】
本発明は光学式記録再生装置及び、これに用いられるプリピット信号生成回路及び半導体集積回路、更には、プリピット信号生成方法に関する。
【０００２】
【従来の技術】
追記型のＤＶＤ（ＤＶＤ−Ｒ）や、書き換え可能なＤＶＤ（ＤＶＤ−ＲＷ）等の光学式記録媒体に対して情報データの記録又は再生を行うには、プリピット信号生成回路を用いて光学式記録媒体上のランドプリピットを検出し位置情報として認識する必要がある。従来のプリピット信号生成回路は図２１（ａ）に示すように４つの受光面２０ａ、２０ｂ、２０ｃ、２０ｄを有する４分割光検出器２０と、受光面２０ａ及び２０ｂからの信号、すなわちラジアル上半面信号Ｒ（ａ＋ｂ）を出力する加算器２１と、受光２０ｃ及び２０ｄからの信号、すなわちラジアル下半面信号Ｒ（ｃ＋ｄ）を出力する加算器２２と、ラジアル上半面信号Ｒ（ａ＋ｂ）からラジアル下半面信号Ｒ（ｃ＋ｄ）を減算したラジアルプッシュプル信号Ｒ（（ａ＋ｂ）−（ｃ＋ｄ））を出力する減算器２４とから構成されている（以下において「第１の従来技術」という。）
しかし、第１の従来技術に係るプリピット信号生成回路では、記録マーク部に隣接する位置でランドプリピットＬＰＰを検出する際に反射光量が減少するので、ラジアルプッシュプル信号ＰＰの２値化可能範囲が小さくなる。また、ラジアルプッシュプル信号には隣接トラックの情報データ成分が漏れ込むため情報読取スポットのトラッキング誤差により信号のバランスがずれるという問題があった。
【０００３】
これに対し図２１（ｂ）に示すような従来技術（以下において「第２の従来技術」という。）が提案されている（特開２００１−２３１６８号公報参照。）。これは図２０（ａ）で示した第１の従来技術に対して、ラジアル上半面信号Ｒ（ａ＋ｂ）を増幅器５１でｋ１倍に増幅した信号からラジアル下半面信号Ｒ（ｃ＋ｄ）を増幅器５２でｋ２倍に増幅した信号を減算器２４で減算し、意図的に利得ｋ１を利得ｋ２よりも大きく設定している。この結果、ラジアルプッシュプル信号Ｒ（（ａ＋ｂ）−（ｃ＋ｄ））の２値化可能な範囲を広げることができる。
【０００４】
【発明が解決しようとする課題】
しかし第２の従来技術では、ラジアル上半面信号Ｒ（ａ＋ｂ）とラジアル下半面信号Ｒ（ｃ＋ｄ）の増幅比を意図的にアンバランスにしていることにより、減算の結果打ち消されるはずの同相成分がラジアルプッシュプル信号Ｒ（（ａ＋ｂ）−（ｃ＋ｄ））に残ってしまう。このため、高周波成分ノイズが大きくなり、記録マークがある部分ではランドプリピット検出性能は改善するが、ランドプリピットの隣接グルーブトラックに記録マークがない部分では逆にプリピット検出性能が悪化するという問題がある。
【０００５】
本発明の目的は、ランドプリピットに隣接するグルーブトラック上の記録マークの有無に関係なく、正確なプリピット検出性能が可能な記録再生装置、プリピット信号生成回路、プリピット信号生成方法を提供することである。
【０００６】
【課題を解決するための手段】
上記目的を達成するために、本発明の第１の特徴は、少なくとも光学式記録媒体の記録トラックの接線方向に関して２分割された受光領域が検出した信号から光学式記録媒体のプリピットを検出するためのプリピット信号を生成するプリピット信号生成回路であって、接線方向の上面側の受光領域が受光したラジアル上半面信号から、接線方向の下面側の受光領域が受光したラジアル下半面信号を減算し、ラジアルプッシュプル信号を生成するプッシュプル信号生成回路と、ラジアルプッシュプル信号とラジアル上半面信号とを少なくとも用いて、記録トラック上の記録マークの位置のラジアルプッシュプル信号の補正信号を生成する補正信号生成回路と、ラジアルプッシュプル信号と補正信号を加算する補正信号加算器とを備えていることを特徴とするプリピット信号生成回路であることを要旨とする。
【０００７】
本発明の第２の特徴は、半導体チップと、半導体チップの上に集積化され、少なくとも光学式記録媒体の記録トラックの接線方向に関して２分割された受光領域が検出した信号から光学式記録媒体のプリピットを検出するためのプリピット信号を生成するプリピット信号生成回路であって、接線方向の上面側の受光領域が受光したラジアル上半面信号から、接線方向の下面側の受光領域が受光したラジアル下半面信号を減算し、ラジアルプッシュプル信号を生成するプッシュプル信号生成回路と、ラジアルプッシュプル信号とラジアル上半面信号とを少なくとも用いて、記録トラック上の記録マークの位置のラジアルプッシュプル信号の補正信号を生成する補正信号生成回路と、ラジアルプッシュプル信号と補正信号を加算する補正信号加算器とを備えたプリピット信号生成回路と、半導体チップの上に集積化され、プリピット信号生成回路の出力側に接続された記録処理回路と、半導体チップの上に集積化され、記録処理回路の出力側に接続されたサーボ制御装置と、半導体チップの上に集積化され、読取再生信号を入力し再生情報データを出力する情報データ再生回路とを少なくとも備えることを特徴とする半導体集積回路であることを要旨とする。
【０００８】
本発明の第３の特徴は、記録トラック上にあらかじめ記録されたプリピットを有する光学式記録媒体と、光学式記録媒体に記録又は読取りのためのビーム光を照射するビーム光発生装置と、ビーム光の反射光を記録トラックの接線方向と垂直方向に関して、４分割した受光領域により検出し、それぞれ４つの信号を出力する４分割検出器とを有する記録再生ヘッドと、少なくとも光学式記録媒体の記録トラックの接線方向に関して２分割された受光領域が検出した信号から光学式記録媒体のプリピットを検出するためのプリピット信号を生成するプリピット信号生成回路であって、接線方向の上面側の受光領域が受光したラジアル上半面信号から、接線方向の下面側の受光領域が受光したラジアル下半面信号を減算し、ラジアルプッシュプル信号を生成するプッシュプル信号生成回路と、ラジアルプッシュプル信号とラジアル上半面信号とを少なくとも用いて、記録トラック上の記録マークの位置のラジアルプッシュプル信号の補正信号を生成する補正信号生成回路と、ラジアルプッシュプル信号と補正信号を加算する補正信号加算器とを備えたプリピット信号生成回路と、半導体チップの上に集積化され、プリピット信号生成回路の出力側に接続された記録処理回路とを含むことを特徴とする記録再生装置であることを要旨とする。
【０００９】
本発明の第４の特徴は、光学式記録媒体の記録トラックの接線方向関して２分割した受光領域により光学式記録媒体からの反射光を受光するステップと、接線方向の上面側の受光領域が受光したラジアル上半面信号を生成するステップと、接線方向の下面側の受光領域が受光した加算したラジアル下半面信号を生成するステップと、ラジアル上半面信号からラジアル下半面信号を減算しラジアルプッシュプル信号を生成するステップと、ラジアルプッシュプル信号とラジアル上半面信号を少なくとも用いて、記録トラック上の記録マークの位置のラジアルプッシュプル信号の補正信号を生成するステップと、ラジアルプッシュプル信号に補正信号を加算するステップとを備えることを特徴とするプリピット信号生成方法を得ることができる。
【００１０】
【発明の実施の形態】
本発明の第１〜第６の実施の形態に係るプリピット信号生成回路１２を説明する前に、これらのプリピット信号生成回路が用いられる本発明の特徴に係る記録再生装置について説明する。以下の図面の記載において、同一又は類似の部分には同一又は類似の符号を付している。
【００１１】
（記録再生装置）
本発明の第１〜第６の実施のプリピット信号生成回路１２を用いる記録再生装置は図１に示すように、スピンドルモータ３により回転する光学式記録媒体１と、回転する光学式記録媒体１の表面に所定のビーム光を照射し反射光を検出する記録再生ヘッド２とを備えている。
【００１２】
光学式記録媒体１は図２（ａ）に示すように、螺旋状もしくは同心円状に交互に配置された凸状のグルーブトラックＧＶと、グルーブトラックＧＶと隣接する位置に配置された凹状のランドトラックＬＤと、ランドトラックＬＤ上に隣接する両グルーブトラックＧＶ間を連結した位置に配置されたランドプリピットＬＰＰを備えている。図２（ａ）に示す光学式記録媒体１ではグルーブトラックＧＶがディスクの半径方向に多少蛇行しているが、これはウォブリングである。このウォブリングを検出することによりディスクの回転に同期した信号が得られるが、以下の説明では簡単のため、このウォブリングを省略して図２（ｂ）の模式図のようにグルーブトラックの蛇行を無視して説明する。
【００１３】
また、記録再生ヘッド２は、情報データの記録を行う記録ビーム光発生装置１３と、記録ビーム光発生装置１３と隣接する位置に配置され読取ビーム光を発生する読取ビーム光発生装置１４と、記録ビーム光又は読取ビーム光の反射光を検出する４分割光検出器２０が搭載されている。記録ビーム光発生装置１３及び読取ビーム光発生装置１４は半導体レーザーを用いれば良い。４分割光検出器２０は例えば４個のフォトダイオードを用いれば良い。ただし、記録ビーム光発生装置１３と読取ビーム光発生装置１４とは個別に設ける必要はなく、記録時には記録用光ビームを発生し、読取時には読取用光ビームを発生する１つの光ビーム発生装置や１チップに２つの半導体レーザーを集積化した光ビーム発生装置等であっても良いものとする。
【００１４】
記録ビーム光発生装置１３は、記録処理回路９から伝達される記録変調データ信号に応じた記録ビーム光を発生し、これを光学式記録媒体１上のグルーブトラックＧＶ上に照射する。この際、記録ビームが照射されたグルーブトラックＧＶ上の領域に熱が伝わりその領域に情報ピットを形成する。
【００１５】
また、読取ビーム光発生装置１４は、スピンドルモータ３によって回転駆動される光学式記録媒体１に読取ビーム光を照射し、その記録面上に図３に示すような情報読取スポット１５を形成させる。
【００１６】
更に、４分割光検出器２０は、情報記録トラック（グルーブトラックＧＶ）の接線方向と、垂直方向とによって４分割された図２１で示すような受光面２０ａ、２０ｂ、２０ｃ、２０ｄを有する光電変換素子からなる。その光電変換素子は、情報読取スポット１５による光学式記録媒体１からの反射光を４つの受光面２０ａ、２０ｂ、２０ｃ、２０ｄ各々によって受光し、それぞれを個別に電気信号に変換したものを受光信号Ｒａ、Ｒｂ、Ｒｃ、Ｒｄとして出力する。ただし、４分割光検出器２０は、情報記録トラック（グルーブトラックＧＶ）の接線方向で分割される２分割光検出器であってもよい。
【００１７】
回転駆動される光学式記録媒体１上のランドトラックＬＤ（プリピットトラック）上に形成されているランドプリピットＬＰＰを検出するためにプリピット検出回路１０が備えられている。プリピット検出回路１０には、第１〜第６の実施の形態で説明するプリピット信号生成回路１２と、このプリピット信号生成回路１２の出力するプリピット信号ＰＰを２値化する２値化回路１１が備えられている。プリピット信号生成回路１２は、ランドプリピットＬＰＰを検出してプリピット信号ＰＰを生成し、ニ値化回路１１で２値化されプリピット検出信号ＰＰＤとして、記録処理回路９に供給される。ただし、プリピット信号生成回路１２出力を直接記録処理回路９に入力し、記録処理回路９でプリピット検出しても良い。例えば、プリピット信号をＡ／Ｄ変換して取込み、デジタル処理でプリピット検出しても良いものとする。
【００１８】
記録処理回路９は、プリピット検出信号ＰＰＤに基づいて、現時点において記録再生ヘッド２が記録又は再生を行っている位置、すなわち、グルーブトラックＧＶ上の位置を認識し、この記録又は再生位置から所望の記録又は再生位置へと記録再生ヘッド２をトラックジャンプせしめるべき制御信号をサーボ制御装置６に供給する。
【００１９】
また、光学式記録媒体１に記録された情報データを再生するために、情報データ再生回路８が備えられている。情報データ再生回路８は読取信号ＲＳを２値化した後、復調処理、誤り訂正処理、及び各種情報復号処理を順次実施することにより、光学式記録媒体１上に記録されていた情報データ（映像データ、音声データ、コンピュータデータ）の再生を行い、これを出力する。
【００２０】
所定のビーム径に収束した光ビームを光学式記録媒体１の表面上に照射するために、記録再生ヘッド２と隣接する位置にアクチュエータ５が備えられている。また、アクチュエータ５の中には、更に、コースアクチュエータ５ａ、フォーカスアクチュエータ５ｂ、トラッキングアクチュエータ５ｃが備えられ、サーボ制御装置６により制御される。サーボ制御装置６は、受光信号Ｒａ、Ｒｂ、Ｒｃ、Ｒｄに基づいてフォーカスエラー信号、トラッキングエラー信号及びコースアクチュエータ制御信号を各々生成する。フォーカスエラー信号は、記録再生ヘッド２に搭載されているフォーカスアクチュエータ５ｂに供給され、図３に示すような情報読取スポット１５の焦点を調整する。トラッキングエラー信号は、記録再生ヘッド２に搭載されているトラッキングアクチュエータ５ｃに供給され、情報読取スポットの形成位置をディスク半径方向にて調整する。コースアクチュエータ制御信号はコースアクチュエータ５ａに供給され、コースアクチュエータ制御信号に応じた速度で記録再生ヘッド２をディスク半径方向に移送させる。
【００２１】
スピンドルモータ３の回転速度を調節するために、スピンドルモータ制御装置４が備えられている。スピンドルモータ制御装置４はヘッドアンプ７から信号を受け予め定められた回転速度に対応した周波数になるようにスピンドルモータ３を回転駆動することを可能としている。
【００２２】
（半導体集積回路）
本発明の第１〜第６の実施のプリピット信号生成回路１２を用いる半導体集積回路１００は図１に示すように、半導体チップと、半導体チップの上に集積化され、光学式記録媒体１の記録トラックの接線方向と、垂直方向に４分割された受光領域から検出された、接線方向上面側の２つの信号を加算した値から接線方向下面側の２つの信号を加算した値を減算したラジアルプッシュプル信号を生成し、ラジアルプッシュプル信号とラジアル上半面信号とを少なくとも用いて、記録トラック上の記録マークの位置のラジアルプッシュプル信号の補正信号を生成し、ラジアルプッシュプル信号と補正信号を加算してプリピット信号を生成するプリピット信号生成回路１２と、補正信号加算器とを少なくとも備えるプリピット信号生成回路１２と、半導体チップの上に集積化され、プリピット信号生成回路１２の出力側に接続された記録処理回路９と、半導体チップの上に集積化され、記録処理回路９の出力側に接続されたサーボ制御装置６と、半導体チップの上に集積化され、読取再生信号ＲＳを入力し再生情報データを出力する情報データ再生回路８とを少なくとも備えることを特徴とする半導体集積回路１００であることを要旨とする。
【００２３】
（第１の実施の形態）
本発明の第１の実施の形態に係るプリピット信号生成回路１２は図４に示すように、４つの入力信号のうち記録トラックの接線方向の上面側の２つの受光領域が受光した２つの信号を加算したラジアル上半面信号Ｒ（ａ＋ｂ）から記録トラックの接線方向の下面側の２つの受光領域が受光した２つの信号を加算したラジアル下半面信号Ｒ（ｃ＋ｄ）を減算したラジアルプッシュプル信号を生成するプッシュプル信号生成回路３１と、ラジアルプッシュプル信号とラジアル上半面信号Ｒ（ａ＋ｂ）とを少なくとも用いて、プリピットに隣接する記録トラック上に記録マークが在る場合のラジアルプッシュプル信号Ｒ（（ａ＋ｂ）−（ｃ＋ｄ））のピーク位置における補正信号を生成する補正信号生成回路３２と、ラジアル上半面信号Ｒ（ａ＋ｂ）と補正信号を加算する補正信号加算器２３とを少なくとも備えている。
【００２４】
ラジアルプッシュプル信号生成回路３１は、信号Ａと信号Ｂを入力端子に接続する第１の加算器２１と、信号Ｃと信号Ｄを入力端子に接続した第２の加算器２２と、第１の加算器２１の出力を正転入力端子に接続し、第２の加算器２２の出力を反転入力端子に接続した減算器２４を備えている。減算器２４はラジアルプッシュプル信号Ｒ（（ａ＋ｂ）−（ｃ＋ｄ））を出力する。
【００２５】
補正信号生成回路３２は、減算器２４の出力側に接続した第１のコンデンサＣ１と、第１のコンデンサＣ１の出力に接続した第１の半波整流器２６と、第１の加算器の出力に接続した第２のコンデンサＣ２と、第１の半波整流器２６の出力と第２のコンデンサの出力を入力端子に接続した乗算器２５と、乗算器２５の出力に接続された第２の半波整流器２７と、第２の半波整流器２７の出力に接続した反転増幅器２８と、反転増幅器２８の出力と減算器２４の出力を入力端子に接続した補正信号加算器２３とを備えている。
【００２６】
なお、図４では反転増幅器２８を第２の半波整流器２７の出力と加算器２３の入力の間に挿入しているが、反転増幅器２８の挿入位置はこの位置に限定するものではなく、第１の加算器２１の出力と第２のコンデンサＣ２の間、第２のコンデンサＣ２と第１の半波整流器２６の入力の間、減算器２４の出力と第１のコンデンサＣ１の間、第１のコンデンサＣ１と乗算器２５入力の間、第１の半波整流器２６出力と乗算器２６の間、乗算器２５の出力と第２の半波整流器２７入力の間でも良い。
【００２７】
また、第１のコンデンサＣ１と第２のコンデンサＣ２は必須ではないが、直流成分を除去することによりノイズが低減でき、更に乗算器２５の入力前に直流成分を除去できるので補正信号出力の直流成分のオフセットを小さくすることができるため、第１のコンデンサＣ１、第２のコンデンサＣ２を挿入しておいた方が望ましい。第１のコンデンサＣ１の挿入位置については第１の半波整流器２６の出力と乗算器２５入力の間でも良い。もしくは、第１のコンデンサＣ１と第２のコンデンサＣ２を除去して、第１の加算器２１と第２の加算器２２の入力にコンデンサを１個ずつ、計４個挿入しても良いし、第１の加算器２１の出力と第２の加算器２２の出力にコンデンサを１個ずつ計２個挿入しても良い。
【００２８】
ここで、図４で示したプリピット信号生成回路１２の動作について図５を用いて説明する。ここでは、図５（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合について、図５（ｂ）〜（ｉ）の信号を説明する。第１の加算器２１は信号Ａと信号Ｂを加算し図５（ｂ）に示すように記録マークＲＭとランドプリピットＬＰＰ１及びランドプリピットＬＰＰ２の位置でレベルが低下し、ランドプリピットＬＰＰ３及びランドプリピットＬＰＰ４の位置でレベルが上昇するラジアル上半面信号Ｒ（ａ＋ｂ）を得る。一方、第２の加算器２２は信号Ｃと信号Ｄを加算し図５（ｃ）に示すような記録マークＲＭとランドプリピットＬＰＰ３及びランドプリピットＬＰＰ４の位置でレベルが低下し、ランドプリピットＬＰＰ１及びランドプリピットＬＰＰ２位置でレベルが上昇するラジアル下半面信号Ｒ（ｃ＋ｄ）として出力する。更に、減算器２４はラジアル上半面信号Ｒ（ａ＋ｂ）からラジアル下半面信号Ｒ（ｃ＋ｄ）を減算した図５（ｄ）に示すような記録マークの影響を受けて、ランドプリピットＬＰＰ２及びランドプリピットＬＰＰ４の位置でピークが小さくなっているラジアルプッシュプル信号Ｒ（（ａ＋ｂ）−（ｃ＋ｄ））を出力する。第１のコンデンサＣ１はこのラジアルプッシュプル信号Ｒ（（ａ＋ｂ）−（ｃ＋ｄ））の直流成分を除去し、第１の半波整流器２６に信号が出力される。第１の半波整流器２６は図５（ｅ）に示すような、検出すべきでないランドプリピットＬＰＰ３及びランドプリピットＬＰＰ４に対応した正極性のピークを半波整流し除去した信号を出力する。乗算器２５は第１の半波整流器２６の出力信号と第２のコンデンサＣ２を介しラジアル上半面信号Ｒ（ａ＋ｂ）から直流成分を除去した信号と乗算し、図５（ｆ）に示すような、記録マークが隣接していないランドプリピットＬＰＰ１の位置では負極性のピークを、記録マークが隣接しているランドプリピットＬＰＰ２の位置では正極性のピークを持つ信号を第２の半波整流器２７に出力する。第２の半波整流器２７の出力は図５（ｇ）に示すような半波整流した信号を出力し、反転増幅器２８により図５（ｈ）に示すような元のラジアルプッシュプル信号と極性をそろえた信号として反転増幅される。更に反転増幅器２８から出力される信号は補正信号加算器２３により補正信号としてラジアルプッシュプル信号Ｒ（（ａ＋ｂ）−（ｃ＋ｄ））と加算され、図５（ｉ）に示すようなプリピット信号ＰＰを生成する。
【００２９】
従ってランドプリピットに隣接するグルーブトラック上の記録マークの有無に関係なく、正確なプリピット検出性能が可能なプリピット信号生成回路、プリピット信号生成回路、プリピット信号生成方法を得ることができる。
【００３０】
乗算器２５としては、例えば図６の回路例に示すように第１の入力電圧Ｖ１を入力する第１の差動増幅回路ＤＡ１と、第１の差動増幅回路ＤＡ１と並列に接続された第２の差動増幅回路ＤＡ２と、第２の入力電圧Ｖ２を入力する第３の差動増幅回路ＤＡ３とを備え、第１の入力電圧Ｖ１と第２の入力電圧Ｖ２を乗算した電圧を出力電圧Ｖｏｕｔとして出力するギルバート・セル型乗算回路が使用可能である。ギルバート・セル型乗算回路は一般的な回路で入力信号Ｖ１と入力信号Ｖ２の乗算結果を負荷抵抗Ｒ１と負荷抵抗Ｒ２の差電圧、すなわち、出力電圧Ｖｏｕｔとして出力する回路である。
【００３１】
また、第１の半波整流器２６は図７（ａ）の回路例に示すような入力電圧Ｖｉを一方の端子に入力し、他方の端子に基準電圧Ｖｒｅｆを入力する差動対ＤＡ４である。差動増幅回路ＤＡ４は第１のｎｐｎ型トランジスタＱ１１と第２のｎｐｎ型トランジスタＱ１２とから構成されている。すなわち、入力電圧Ｖｉをベース端子に入力する第１のｎｐｎ型トランジスタＱ１１と、基準電圧Ｖｒｅｆをベース端子に入力する第２のｎｐｎ型トランジスタＱ１２とにより構成される。第１のｎｐｎ型トランジスタＱ１１及び第２のｎｐｎ型トランジスタＱ１２の共通のコレクタ端子は高位電源ＶＤＤに接続されている。第１のｎｐｎ型トランジスタＱ１１及び第２のｎｐｎ型トランジスタＱ１２の共通のエミッタ端子は電流源ＩＥＥを介し低位電源ＶＳＳに接続されている。
【００３２】
また、図７（ａ）で示した第１の半波整流器２６の回路例の入出力特性は図７（ｂ）に示すように、ベースエミッタ電圧をＶｂｅとし、基準電圧源Ｖｒｅｆの出力電圧をＶｒとすると、入力電圧Ｖｉ＞Ｖｒの場合は、第１のｎｐｎ型トランジスタＱ１がオンして通常のエミッタフォロアーとして動作するので、出力電圧Ｖｏｕｔは入力電圧Ｖｉを第１のｎｐｎ型トランジスタＱ１１のベースエミッタ間電圧だけシフトした電圧となりＶｏｕｔ＝Ｖｉ−Ｖｂｅで表され、この場合の入出力間ゲインは１となる。入力信号Ｖｉ＜Ｖｒになると、第２のｎｐｎ型トランジスタＱ１２がオンしてＶｏｕｔは出力電圧をＶｒから第２のｎｐｎ型トランジスタＱ１２のベースエミッタ間電圧ＶｂｅだけＤＣシフトした電圧となりＶｏｕｔ＝Ｖｒ−Ｖｂｅで表される。つまりＶｉが基準電圧Ｖｒに対して正側に振れた場合はそのまま出力し、Ｖｉが負側に振れた場合は固定電位を出力して半波整流動作をしている。又、入力信号Ｖｉ≒ＶｒでＶｒ近傍で動作している場合は、第１のｎｐｎ型トランジスタＱ１１と第２のｎｐｎ型トランジスタＱ１２はどちらもオンしてリニア領域で動作するので、差動対ＤＡ４は差動アンプとして動作し、Ｖｏｕｔ出力にはＶｉとＶｒの差電圧を１／２倍した信号をトランジスタのベースエミッタ間電圧Ｖｂｅだけシフトした信号となり、Ｖｏｕｔ＝（Ｖｉ−Ｖｒ）／２＋Ｖｒ−Ｖｂｅで表され、この場合の入出力間ゲインは１／２となる。
【００３３】
図５で示した波形ではノイズの無い理想的な波形で説明しているが、実際のラジアルプッシュプル信号Ｒ（（ａ＋ｂ）−（ｃ＋ｄ））にはウォブル成分とノイズ成分が重畳した波形となる。この半波整流器は入力信号Ｖｉ≒ＶｒでＶｒ近傍で動作している時のゲインがＶｉ＞Ｖｒの場合の半分となるので、この半波整流器にはＶｒ近傍のノイズ成分を除去する効果がある。
【００３４】
一方、第２の半波整流器２７の回路例は図８（ａ）に示すような入力電圧Ｖｉを一方の端子に入力し、他方の端子に基準電圧Ｖｒｅｆを入力する差動対ＤＡ５である。差動増幅回路ＤＡ５は第１のｐｎｐ型トランジスタＱ２１と第２のｐｎｐ型トランジスタＱ２２とから構成されている。すなわち、入力電圧Ｖｉをベース端子に入力する第１のｐｎｐ型トランジスタＱ２１と、基準電圧Ｖｒｅｆをベース端子に入力する第２のｐｎｐ型トランジスタＱ２２とにより構成される。第１のｐｎｐ型トランジスタＱ２１と第２のｐｎｐ型トランジスタＱ２２との共通のコレクタ端子は電流源ＩＥＥを介し高位電源ＶＤＤに、第１のｐｎｐ型トランジスタＱ２１と第２のｐｎｐ型トランジスタＱ２２との共通のエミッタ端子は低位電源ＶＳＳに接続されている。
【００３５】
更に、図８（ａ）で示した第２の半波整流器２７の入出力特性は図８（ｂ）に示すように、ベースエミッタ電圧をＶｂｅとし、基準電圧源Ｖｒｅｆの出力電圧をＶｒとすると、入力信号Ｖｉ＜Ｖｒの場合は、第１のｐｎｐ型トランジスタＱ２１がオンして通常のエミッタフォロアーとして動作するので、出力信号Ｖｏｕｔは入力信号Ｖｉを第１のｐｎｐ型トランジスタＱ２１のベースエミッタ間電圧だけシフトした信号となりＶｏｕｔ＝Ｖｉ−Ｖｂｅで表され、この場合入出力間ゲインは１となる。入力信号Ｖｉ＞Ｖｒになると、第２のｐｎｐ型トランジスタＱ２２がオンしてＶｏｕｔは出力電圧をＶｒから第２のｐｎｐ型トランジスタＱ２２のベースエミッタ間電圧Ｖｂｅだけシフトした電圧となりＶｏｕｔ＝Ｖｒ−Ｖｂｅで表される。つまりＶｉが基準電圧Ｖｒに対して負側に振れた場合はそのまま出力し、Ｖｉが正側に振れた場合は固定電位を出力して半波整流動作をしている。
【００３６】
又、入力信号Ｖｉ≒ＶｒでＶｒ近傍で動作している場合は、第１のｐｎｐ型トランジスタＱ２１と第２のｐｎｐ型トランジスタＱ２２はどちらもオンしてリニア領域で動作するので、差動対ＤＡ５は差動アンプとして動作し、Ｖｏｕｔ出力にはＶｉとＶｒの差電圧を１／２倍した信号をトランジスタのベースエミッタ間電圧Ｖｂｅだけシフトした信号となり、Ｖｏｕｔ＝（Ｖｉ−Ｖｒ）／２＋Ｖｒ−Ｖｂｅで表され、この場合の入出力間ゲインは１／２となる。この半波整流器にはＶｒ近傍のノイズ成分、ラジアルプッシュプル信号のウォブル成分を除去する効果がある。
【００３７】
このような構成のプリピット信号生成回路１２では、ランドプリピットＬＰＰの隣接グルーブトラックＧＶ上に記録マークＲＭがある場合だけ反転増幅器２８から補正信号が出力され、この補正信号によってラジアルプッシュプル信号Ｒ（（ａ＋ｂ）−（ｃ＋ｄ））を補正してプリピット信号ＰＰを出力する。
【００３８】
（第２の実施の形態）
本発明の第２の実施の形態に係るプリピット信号生成回路も図１に示す記録再生装置に用いられる。
【００３９】
第２の実施の形態に係るプリピット信号生成回路１２は図９に示すように、第１の半波整流器２６の位置を第１の実施の形態との異なる位置に接続した例である。第１の実施の形態が第１のコンデンサＣ１と乗算器２５の入力の間に接続されていたのに対し、第２の実施の形態では第１の半波整流器２６を第２のコンデンサＣ２と乗算器２５の入力の間に接続している。
【００４０】
ここで、図９で示したプリピット信号生成回路１２について、図１０（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合の以下に示すような各所の信号を説明する。ヘッドアンプ７から出力される信号Ａ、Ｂ、Ｃ、Ｄを入力し生成される図１０（ｂ）に示すラジアル上半面信号Ｒ（ａ＋ｂ）と、図１０（ｃ）に示すラジアル下半面信号Ｒ（ｃ＋ｄ）と、図１０（ｃ）に示すラジアルプッシュプル信号Ｒ（（ａ＋ｂ）−（ｃ＋ｄ））については第１の実施の形態と実質的に同様であるので、重複した記載を省略する。
【００４１】
第２の実施の形態に係るプリピット信号生成回路１２において、第２のコンデンサＣ２はラジアルプッシュプル信号Ｒ（（ａ＋ｂ）−（ｃ＋ｄ））の直流成分を除去し、第１の半波整流器２６に信号が出力される。第１の半波整流器２６は図１０（ｅ）に示すような記録マークＲＭの位置で負極性側にピークを持つ半波整流した信号を出力する。乗算器２５は第１の半波整流器２６の出力信号と、第１のコンデンサＣ１を介しラジアル上半面信号Ｒ（ａ＋ｂ）から直流成分を除去した信号とを乗算し、図１０（ｆ）に示すような記録マークＲＭの位置においてのみ信号レベルが変動し、検出対象のランドプリピットＬＰＰ２の位置では正極性のピークを、検出対象でないＬＰＰ４の位置では負極性のピークを持つ信号を第２の半波整流器２７に出力する。第２の半波整流器２７の出力は図１０（ｇ）に示すような信号を出力し、反転増幅器２８により図１０（ｈ）に示すような元のラジアルプッシュプル信号と極性をそろえた信号として反転増幅され、補正信号加算器２３により補正信号としてラジアルプッシュプル信号Ｒ（（ａ＋ｂ）−（ｃ＋ｄ））と加算され、図１０（ｉ）に示すようなプリピット信号ＰＰを生成する。他は第１の実施の形態と実質的に同様であるので、重複した記載を省略する。
【００４２】
（第３の実施の形態）
本発明の第３の実施の形態に係るプリピット信号生成回路も図１に示す記録再生装置に用いられる。
【００４３】
第３の実施の形態に係るプリピット信号生成回路１２は図１１に示すように、第１の実施の形態及び第２の実施の形態２における第１の半波整流器２６に相当する回路を削除し、補正信号加算器の出力と減算器２４の出力に接続されたマスク処理回路ＭＡ１を備えた実施の形態である。
【００４４】
ここで、図１１で示したプリピット信号生成回路１２について、図１２（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合の以下に示すような各所の信号を説明する。ヘッドアンプ７から出力される信号Ａ、Ｂ、Ｃ、Ｄを入力し生成される図１２（ｂ）に示すラジアル上半面信号Ｒ（ａ＋ｂ）と、図１２（ｃ）に示すラジアル下半面信号Ｒ（ｃ＋ｄ）と、図１２（ｃ）に示すラジアルプッシュプル信号Ｒ（（ａ＋ｂ）−（ｃ＋ｄ））については第１の実施の形態と実質的に同様であるので、重複した記載を省略する。
【００４５】
第３の実施の形態に係るプリピット信号生成回路１２において、乗算器２５は第１のコンデンサＣ１を介しラジアルプッシュプル信号Ｒ（（ａ＋ｂ）−（ｃ＋ｄ））から直流成分を除去した信号と、第２のコンデンサＣ２を介しラジアル上半面信号Ｒ（ａ＋ｂ）から直流成分を除去した信号を乗算し、図１２（ｅ）に示すようなランドプリピットＬＰＰ１及びランドプリピットＬＰＰ４の位置で正極性のピーク、ランドプリピットＬＰＰ２、ランドプリピットＬＰＰ３の位置で負極性のピークを持つ信号を第２の半波整流器２７に出力する。第２の半波整流器２７はの出力は図１２（ｆ）に示すようなランドプリピットＬＰＰ２及びランドプリピットＬＰＰ３の位置に正極性のピークを持つ信号を出力し、反転増幅器２８により図１２（ｇ）に示すような元のラジアルプッシュプル信号と極性をそろえた信号として反転増幅され、補正信号加算器２３により補正信号としてラジアルプッシュプル信号Ｒ（（ａ＋ｂ）−（ｃ＋ｄ））と加算され、図１２（ｈ）に示すような偽プリピット信号ＦＰＰを含む仮プリピット信号ＴＰＰを生成する。マスク処理回路ＭＡ１はラジアルプッシュプル信号Ｒ（（ａ＋ｂ）−（ｃ＋ｄ））のマスク信号スライスレベルＬＶ１をもとに図１２（ｉ）に示すようなマスク信号を作成し、仮プリピット信号ＴＰＰにマスク処理を行い図１２（ｊ）に示すようなプリピット信号ＰＰを生成する。他は第１の実施の形態と実質的に同様であるので、重複した記載を省略する。
【００４６】
（第４の実施の形態）
本発明の第４の実施の形態に係るプリピット信号生成回路も図１に示す記録再生装置に用いられる。
【００４７】
第４の実施の形態に係るプリピット信号生成回路は図１３に示すように、第１の実施の形態及におけるプリセット信号生成回路１２で示した第１の加算器の出力と第２のコンデンサＣ２の間に第４の加算器２９を追加し、第４の加算器２９の入力に第２の加算器を接続したものである。
【００４８】
ここで、図１３で示したプリピット信号生成回路１２について、図１４（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合の以下に示すような各所の信号を説明する。ヘッドアンプ７から出力される信号Ａ、Ｂ、Ｃ、Ｄを入力し生成される図１４（ｂ）に示すラジアル上半面信号Ｒ（ａ＋ｂ）と、図１４（ｃ）に示すラジアル下半面信号Ｒ（ｃ＋ｄ）と、図１４（ｄ）に示すラジアルプッシュプル信号Ｒ（（ａ＋ｂ）−（ｃ＋ｄ））と、図１４（ｆ）に示す第１の半波整流器２６出力信号については第１の実施の形態と実質的に同様であるので、重複した記載を省略する。
【００４９】
第４の実施の形態に係るプリピット信号生成回路１２において、第４の加算器２９はラジアル上半面信号Ｒ（ａ＋ｂ）とラジアル下半面信号Ｒ（ｃ＋ｄ）を加算し図１４（ｃ）に示すような記録マークＲＭの位置においてのみ信号レベルが変動し、ランドプリピットの位置でレベル変動がない全加算信号Ｒ（ａ＋ｂ＋ｃ＋ｄ）を出力する。乗算器２５は第１の半波整流器２６の出力信号と、第２のコンデンサＣ２を介し全加算信号Ｒ（ａ＋ｂ＋ｃ＋ｄ）から直流成分を除去した信号とを乗算し、図１４（ｇ）に示すような信号を第２の半波整流器２７に出力する。第２の半波整流器２７の出力は図１４（ｈ）に示すような信号を出力し、反転増幅器２８により図１４（ｉ）に示すような信号として反転増幅され、補正信号加算器２３により補正信号としてラジアルプッシュプル信号Ｒ（（ａ＋ｂ）−（ｃ＋ｄ））と加算され、図１４（ｊ）に示すようなプリピット信号ＰＰを生成する。他は第１の実施の形態と実質的に同様であるので、重複した記載を省略する。
【００５０】
図１３で示すような回路のシミュレーション波形として、図１５に示すように記録マークＲＭのない位置でのランドプリピットＬＰＰを検出する時刻Ｔ１と、記録マークＲＭのある位置でのランドプリピットＬＰＰを検出する時刻Ｔ２における結果を得た。図１５（ａ）は図１４（ｂ）で示したラジアル上半面信号Ｒ（ａ＋ｂ）と、図１５（ｂ）は図１４（ｃ）で示したラジアル下半面信号Ｒ（ｃ＋ｄ）と、図１５（ｃ）は図１４（ｅ）で示したラジアルプッシュプル信号Ｒ（（ａ＋ｂ）−（ｃ＋ｄ））と、図１５（ｄ）は図１４（ｆ）で示した第１の半波整流器２６出力信号と、図１５（ｅ）は図１４（ｊ）で示したプリピット信号ＰＰと夫々対応関係にあり、図１５（ｆ）は第２の従来技術におけるプリピット信号ＰＰを示している。
【００５１】
第４の実施の形態において生成されるプリピット信号ＰＰと第２の従来技術により生成されるプリピット信号ＰＰについて、記録マークＲＭのない位置でのランドプリピットＬＰＰを検出する時刻Ｔ１と、記録マークＲＭのある位置でのランドプリピットＬＰＰを検出する時刻Ｔ２における実測波形の拡大波形を図１６に示す。図１６（ａ）は第４の実施の形態において生成されるプリピット信号ＰＰを示し、図１６（ｂ）は第２の従来技術によるプリピット信号ＰＰを示している。どちらも時刻Ｔ１で示すような隣接グルーブに記録マークがある場合の補正はうまくいっていて記録マークが無い場合とほぼ同じレベルのプリピット信号を出力しているが、第２の従来技術の方がプリピット信号ＰＰに含まれるノイズ成分が大きく、２値化可能範囲を比較すると、第４の実施の形態のプリピット信号のニ値化可能範囲１６ａの方が従来技術のニ値化可能範囲１６ｂよりも広くなっている。よって第４の実施の形態ではより正確で安定したプリピット検出が可能になることを示している。
【００５２】
入力信号レベルが同じであれば、全加算信号Ｒ（ａ＋ｂ＋ｃ＋ｄ）はランドプリピットの位置でレベル変動がない信号であるので、ラジアル上半面信号Ｒ（ａ＋ｂ）を用いた第１の実施の形態と比較すると、ランドプリピットＬＰＰ２の位置のレベル変動が小さくなり、最終的な補正信号レベルは小さくなる。従って、ラジアルプッシュプル信号ＬＰＰを補正する効果が若干劣るが、第１の実施の形態と同じ効果が得られる。
【００５３】
（第５の実施の形態）
本発明の第５の実施の形態に係るプリピット信号生成回路も図１に示す記録再生装置に用いられる。
【００５４】
第５の実施の形態に係るプリピット信号生成回路１２は図１７に示すように、第１の半波整流器２６の位置を第４の実施の形態との異なる位置に接続した例である。第４の実施の形態が第１のコンデンサＣ１と乗算器２５の入力の間に接続されたいたのに対し、第５の実施の形態では第１の半波整流器２６を第２のコンデンサＣ２と乗算器２５の入力の間に接続している。
【００５５】
ここで、図１７で示したプリピット信号生成回路１２について、図１８（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合の以下に示すような各所の信号を説明する。ヘッドアンプ７から出力される信号Ａ、Ｂ、Ｃ、Ｄを入力し生成される図１８（ｂ）に示すラジアル上半面信号Ｒ（ａ＋ｂ）と、図１４（ｃ）に示すラジアル下半面信号Ｒ（ｃ＋ｄ）と、図１４（ｄ）に示す全加算信号Ｒ（ａ＋ｂ＋ｃ＋ｄ）と、図１４（ｅ）に示すラジアルプッシュプル信号Ｒ（（ａ＋ｂ）−（ｃ＋ｄ））については第４の実施の形態と実質的に同様であるので、重複した記載を省略する。
【００５６】
第５の実施の形態に係るプリピット信号生成回路１２において、第２のコンデンサＣ２は全加算信号Ｒ（ａ＋ｂ＋ｃ＋ｄ）の直流成分を除去し、第１の半波整流器２６に信号が出力される。第１の半波整流器２６は所定の基準電位を中心に図１８（ｆ）に示すような半波整流した信号を出力する。乗算器２５は第１の半波整流器２６の出力信号と、第１のコンデンサＣ１を介しラジアル上半面信号Ｒ（ａ＋ｂ）から直流成分を除去した信号とを乗算し、図１８（ｇ）に示すような信号を第２の半波整流器２７に出力する。第２の半波整流器２７はの出力は図１８（ｈ）に示すような信号を出力し、反転増幅器２８により図１８（ｉ）に示すような信号として反転増幅され、補正信号加算器２３により補正信号としてラジアルプッシュプル信号Ｒ（（ａ＋ｂ）−（ｃ＋ｄ））と加算され、図１８（ｊ）に示すようなプリピット信号ＰＰＤを生成する。他は第４の実施の形態と実質的に同様であるので、重複した記載を省略する。
【００５７】
（第６の実施の形態）
本発明の第６の実施の形態に係るプリピット信号生成回路も図１に示す記録再生装置に用いられる。
【００５８】
第６の実施の形態に係るプリピット信号生成回路は図１９に示すように、第４の実施の形態及び第５の実施の形態における第１の半波整流器２６に相当する回路を削除し、補正信号加算器の出力と減算器２４の出力に接続されたマスク処理回路ＭＡ１を備えた実施の形態である。
【００５９】
ここで、図１９で示したプリピット信号生成回路１２について、図２０（ａ）に示すような、記録済みの光学式記録媒体１のグルーブトラックＧＶ２上を記録再生ヘッド２が光ビームを照射しながらランドプリピットＬＰＰ１からランドプリピットＬＰＰ２、ランドプリピットＬＰＰ３、ランドプリピットＬＰＰ４の方向へ移動する場合の以下に示すような各所の信号を説明する。ヘッドアンプ７から出力される信号Ａ、Ｂ、Ｃ、Ｄを入力し生成される図１９（ｂ）に示すラジアル上半面信号Ｒ（ａ＋ｂ）と、図１９（ｃ）に示すラジアル下半面信号Ｒ（ｃ＋ｄ）と、図１９（ｄ）に示す全加算信号Ｒ（ａ＋ｂ＋ｃ＋ｄ）と、図１９（ｅ）に示すラジアルプッシュプル信号Ｒ（（ａ＋ｂ）−（ｃ＋ｄ））については第４の実施の形態と実質的に同様であるので、重複した記載を省略する。
【００６０】
第６の実施の形態に係るプリピット信号生成回路１２において、乗算器２５は第１のコンデンサＣ１を介しラジアルプッシュプル信号Ｒ（（ａ＋ｂ）−（ｃ＋ｄ））から直流成分を除去した信号と、第２のコンデンサＣ２を介し全加算信号Ｒ（ａ＋ｂ＋ｃ＋ｄ）から直流成分を除去した信号を乗算し、図２０（ｆ）に示すような信号を第２の半波整流器２７に出力する。第２の半波整流器２７はの出力は図２０（ｇ）に示すような信号を出力し、反転増幅器２８により図２０（ｈ）に示すような信号として反転増幅され、補正信号加算器２３により補正信号としてラジアルプッシュプル信号Ｒ（（ａ＋ｂ）−（ｃ＋ｄ））と加算され、図２０（ｉ）に示すような偽プリピット信号ＦＰＰを含む仮プリピット信号ＴＰＰを生成する。マスク処理回路ＭＡ１はラジアルプッシュプル信号Ｒ（（ａ＋ｂ）−（ｃ＋ｄ））のマスク信号スライスレベルＬＶ１をもとに図２０（ｊ）に示すようなマスク信号を作成し、仮プリピット信号ＴＰＰにマスク処理を行い図２０（ｋ）に示すようなプリピット信号ＰＰを生成する。他は第４の実施の形態と実質的に同様であるので、重複した記載を省略する。
【００６１】
【発明の効果】
本発明により、ランドプリピットに隣接するグルーブトラック上の記録マークの有無に関係なく、正確なプリピット検出性能が可能なプリピット信号生成回路、プリピット信号生成回路、プリピット信号生成方法を得ることが可能となる。
【図面の簡単な説明】
【図１】本発明の第１の実施の形態に係る記録再生装置を説明した図である。
【図２】光学式記録媒体の記録面の一部を説明した図である。
【図３】光学式記録媒体の記録面におけるランドプリピットを含む様にグルーブトラックに照射形成させた光ビームスポットを説明した図である。
【図４】本発明の第１の実施の形態に係るプリピット信号生成回路を説明した図である。
【図５】本発明の第１の実施の形態に係るプリピット信号生成回路のタイミングチャートを説明した図である。
【図６】第１の実施の形態に係るプリピット信号生成回路の乗算器２５の回路例を説明した図である。
【図７】図７（ａ）は第１の実施の形態に係るプリピット信号生成回路の第１の半波整流器の回路例を説明した図である。図７（ｂ）は第１の実施の形態に係るプリピット信号生成回路の第１の半波整流器の回路例の入出力特性を説明した図である。
【図８】図８（ａ）は第１の実施の形態に係るプリピット信号生成回路の第２の半波整流器の回路例を説明した図である。図８（ｂ）は第１の実施の形態に係るプリピット信号生成回路の第２の半波整流器の回路例の入出力特性を説明した図である。
【図９】本発明の第２の実施の形態に係るプリピット信号生成回路を説明した図である。
【図１０】本発明の第２の実施の形態に係るプリピット信号生成回路のタイミングチャートを説明した図である。
【図１１】本発明の第３の実施の形態に係るプリピット信号生成回路を説明した図である。
【図１２】本発明の第３の実施の形態に係るプリピット信号生成回路のタイミングチャートを説明した図である。
【図１３】本発明の第４の実施の形態に係るプリピット信号生成回路を説明した図である。
【図１４】本発明の第４の実施の形態に係るプリピット信号生成回路のタイミングチャートを説明した図である。
【図１５】本発明の第４の実施の形態に係るプリピット信号生成回路のシミュレーション波形を説明した図である。
【図１６】本発明の第４の実施の形態に係るプリピット信号生成回路により生成されるプリピット信号と従来の技術のプリピット信号波形を比較した図である。
【図１７】本発明の第５の実施の形態に係るプリピット信号生成回路を説明した図である。
【図１８】本発明の第５の実施の形態に係るプリピット信号生成回路のタイミングチャートを説明した図である。
【図１９】本発明の第６の実施の形態に係るプリピット信号生成回路を説明した図である。
【図２０】本発明の第６の実施の形態に係るプリピット信号生成回路のタイミングチャートを説明した図である。
【図２１】従来のプリピット検出装置の構成を示すブロック図である。
【符号の説明】
１：光学式記録媒体
２：記録再生ヘッド
３：スピンドルモータ
４：スピンドルモータ制御装置
５：アクチュエータ
５ａ：コースアクチュエータ
５ｂ：フォーカスアクチュエータ
５ｃ：トラッキングアクチュエータ
６：サーボ制御装置
７：ヘッドアンプ
８：情報データ再生回路
９：記録処理回路
１０：プリピット検出回路
１１：２値化回路
１２：プリピット信号生成回路
１３：記録ビーム洸発生装置
１４：読取ビーム光発生装置
１５：光情報スポット
２０：４分割光検出器
２１：第１の加算器
２２：第２の加算器
２３：補正信号加算器
２４：減算器
２５：乗算器
２６：半波整流器（第１の半波整流器）
２７：第２の半端整流器
２８：反転増幅器
２９：第４の加算器
３１：ラジアルプッシュプル信号生成回路
３２：補正信号生成回路
５１、５２：増幅器
ｋ１：増幅器５１のゲイン
ｋ２：増幅器５２のゲイン
Ｃ１：第１のコンデンサ
Ｃ２：第２のコンデンサ
ＭＡ１：マスク処理回路
Ｒ（ａ＋ｂ）：ラジアル上半面信号
Ｒ（ｃ＋ｄ）：ラジアル下半面信号
Ｒ（ａ＋ｂ）−（ｃ＋ｄ）：ラジアルプッシュプル信号
ＭＳ：記録情報データ
ＰＳ：再生情報データ
ＲＳ：読取信号
ＰＰＤ：プリピット検出信号
ＰＰ：プリピット信号
ＦＰＰ：偽プリピット信号
ＴＰＰ：仮プリピット信号
ＬＶ１：マスク信号スライスレベル
ＬＰＰ：ランドプリピット
ＬＰＰ１〜４：ランドプリピット
ＬＤ：ランドトラック
ＬＤ１〜４：ランドトラック
ＧＶ：グルーブトラック
ＧＶ１〜４：グルーブトラック
Ａ〜Ｄ：信号
ＶＤＤ：高位電源
ＶＳＳ：低位電源
Ｑ１：第１のｎｐｎ型トランジスタ
Ｑ２：第２のｎｐｎ型トランジスタ
Ｑ３：第３のｎｐｎ型トランジスタ
Ｑ４：第４のｎｐｎ型トランジスタ
Ｑ５：第５のｎｐｎ型トランジスタ
Ｑ６：第６のｎｐｎ型トランジスタ
Ｑ１１：第１のｎｐｎ型トランジスタ
Ｑ１２：第２のｎｐｎ型トランジスタ
Ｑ２１：第１のｐｎｐ型トランジスタ
Ｑ２２：第２のｐｎｐ型トランジスタ
ＤＡ１：第１の差動増幅器
ＤＡ２：第２の差動増幅器
ＤＡ３：第３の差動増幅器
ＤＡ４〜５：差動対
Ｒ１〜２：負荷抵抗
ＩＥＥ：電流源
Ｖｏｕｔ：出力電圧
Ｖｉｎ：入力電圧
Ｖｒｅｆ：基準電圧源（Ｖｒ）
Ｖｂｅ：ベース・エミッタ間電圧
ＲＭ：記録マーク
【図１】
0003808785.tif 000002
【図２】
0003808785.tif 000003
【図３】
0003808785.tif 000004
【図４】
0003808785.tif 000005
【図５】
0003808785.tif 000006
【図６】
0003808785.tif 000007
【図７】
0003808785.tif 000008
【図８】
0003808785.tif 000009
【図９】
0003808785.tif 000010
【図１０】
0003808785.tif 000011
【図１１】
0003808785.tif 000012
【図１２】
0003808785.tif 000013
【図１３】
0003808785.tif 000014
【図１４】
0003808785.tif 000015
【図１５】
0003808785.tif 000016
【図１６】
0003808785.tif 000017
【図１７】
0003808785.tif 000018
【図１８】
0003808785.tif 000019
【図１９】
0003808785.tif 000020
【図２０】
0003808785.tif 000021
【図２１】
0003808785.tif 000022